【事件の表示】
　特許第３３１６６７４号「壁取出し用給水機構」の請求項１、２に係る特許に対する特許異議の申立てについて、次のとおり決定する。
【結　論】
　訂正を認める。
　特許第３３１６６７４号の請求項１ないし２に係る特許を取り消す。
【理　由】
１．手続の経緯
　特許第３３１６６７４号の発明についての出願は、平成１０年３月７日に出願され、平成１４年６月１４日にその発明についての特許権の設定登録がなされ、その後、松下電工株式会社より特許異議の申立てがなされ、取消しの理由が通知され、その指定期間内である平成１５年６月２７日に訂正請求がなされたものである。
　
２．訂正の適否についての判断
（１）訂正の内容
　平成１５年６月２７日付けの訂正請求に係る訂正事項は、以下のとおりである。
　
ａ．明細書の【特許請求の範囲】を下記の通り訂正する。
「【請求項１】　給水配管および給湯配管が取り付けられた壁に給水用流量調整機能付水栓および給湯用流量調整機能付水栓を設け、前記給水用流量調整機能付水栓の水流入口に前記給水配管を接続するとともに、前記給湯用流量調整機能付水栓の湯流入口に前記給湯配管を接続し、更に、前記給水用流量調整機能付水栓の水流出口に簡易着脱機構の水用継手を壁面から部屋側に突出しないように接続する一方、この水用継手に、手洗い・風呂・飲料用等に使用される水栓付ユニットあるいは洗濯機の給水ホースの継手を着脱自在に接続するとともに、前記給水ホースの継手と前記簡易着脱機構の水用継手の離脱時には、前記簡易着脱機構の水用継手から水が噴出するのを防止するよう構成され、また、前記給湯用流量調整機能付水栓の湯流出口にも簡易着脱機構の湯用継手を前記壁面から部屋側に突出しないように接続し、かつ、この湯用継手に、手洗い・風呂・飲料用等に使用される水栓付ユニットの給湯ホースの継手を着脱自在に接続するとともに、前記給水用流量調整機能付水栓本体の前面における一方側に前記水流出口を、他方側に弁部を設け、この弁部の弁棒の上方に流量調整用レバーが設けられ、また、前記給湯用流量調整機能付水栓本体の前面における一方側に前記湯流出口を、他方側に弁部を設け、この弁部の弁棒の上方に流量調整用レバーが設けられ、前記給湯ホースの継手と前記簡易着脱機構の湯用継手の離脱時には、前記簡易着脱機構の湯用継手から湯が噴出するのを防止するよう構成されており、更に、前記給水用流量調整機能付水栓の流量調整用レバーを前記壁面から部屋側に突出しないように設けるとともに、前記給湯用流量調整機能付水栓の流量調整用レバーを前記壁面から部屋側に突出しないように設けていることを特徴とする壁取出し用給水機構。　
【請求項２】　給水配管が取り付けられた壁に流量調整機能付水栓を設け、前記流量調整機能付水栓の水流入口に前記給水配管を接続するとともに、前記給水用流量調整機能付水栓本体の前面における一方側に前記水流出口を、他方側に弁部を設け、この弁部の弁棒の上方に流量調整用レバーが設けられ、また、前記流量調整機能付水栓の水流出口に簡易着脱機構の継手を壁面から部屋側に突出しないように接続する一方、この継手に、手洗い・風呂・飲料用等に使用される水栓付ユニットあるいは洗濯機の給水ホースの継手を着脱自在に接続し、更に、前記給水ホースの継手と前記簡易着脱機構の継手の離脱時には、前記簡易着脱機構の水用継手から水が噴出するのを防止するよう構成されており、更に、前記流量調整機能付水栓の流量調整用レバーを前記壁面から部屋側に突出しないように設けていることを特徴とする壁取出し用給水機構。」
　
ｂ．明細書の段落【０００４】を下記の通り訂正する。
「【課題を解決するための手段】
  上記目的を達成するために、この発明は、給水配管および給湯配管が取り付けられた壁に給水用流量調整機能付水栓および給湯用流量調整機能付水栓を設け、前記給水用流量調整機能付水栓の水流入口に前記給水配管を接続するとともに、前記給湯用流量調整機能付水栓の湯流入口に前記給湯配管を接続し、更に、前記給水用流量調整機能付水栓の水流出口に簡易着脱機構の水用継手を壁面から部屋側に突出しないように接続する一方、この水用継手に、手洗い・風呂・飲料用等に使用される水栓付ユニットあるいは洗濯機の給水ホースの継手を着脱自在に接続するとともに、前記給水ホースの継手と前記簡易着脱機構の水用継手の離脱時には、前記簡易着脱機構の水用継手から水が噴出するのを防止するよう構成され、また、前記給湯用流量調整機能付水栓の湯流出口にも簡易着脱機構の湯用継手を前記壁面から部屋側に突出しないように接続し、かつ、この湯用継手に、手洗い・風呂・飲料用等に使用される水栓付ユニットの給湯ホースの継手を着脱自在に接続するとともに、前記給水用流量調整機能付水栓本体の前面における一方側に前記水流出口を、他方側に弁部を設け、この弁部の弁棒の上方に流量調整用レバーが設けられ、また、前記給湯用流量調整機能付水栓本体の前面における一方側に前記湯流出口を、他方側に弁部を設け、この弁部の弁棒の上方に流量調整用レバーが設けられ、前記給湯ホースの継手と前記簡易着脱機構の湯用継手の離脱時には、前記簡易着脱機構の湯用継手から湯が噴出するのを防止するよう構成されており、更に、前記給水用流量調整機能付水栓の流量調整用レバーを前記壁面から部屋側に突出しないように設けるとともに、前記給湯用流量調整機能付水栓の流量調整用レバーを前記壁面から部屋側に突出しないように設けていることを特徴とする。」
　
ｃ．明細書の段落【０００５】を下記の通り訂正する。
「　また、この発明は別の観点から、給水配管が取り付けられた壁に流量調整機能付水栓を設け、前記流量調整機能付水栓の水流入口に前記給水配管を接続するとともに、前記給水用流量調整機能付水栓本体の前面における一方側に前記水流出口を、他方側に弁部を設け、この弁部の弁棒の上方に流量調整用レバーが設けられ、また、前記流量調整機能付水栓の水流出口に簡易着脱機構の継手を壁面から部屋側に突出しないように接続する一方、この継手に、手洗い・風呂・飲料用等に使用される水栓付ユニットあるいは洗濯機の給水ホースの継手を着脱自在に接続し、更に、前記給水ホースの継手と前記簡易着脱機構の継手の離脱時には、前記簡易着脱機構の水用継手から水が噴出するのを防止するよう構成されており、更に、前記流量調整機能付水栓の流量調整用レバーを前記壁面から部屋側に突出しないように設けていることを特徴とする。」　
　
（２）訂正の目的の適否、新規事項の有無、及び特許請求の範囲の拡張・変更の存否
　上記訂正事項ａは、特許請求の範囲の減縮を目的とした明細書の訂正に該当し、新規事項の追加に該当せず、実質上特許請求の範囲を拡張し、又は変更するものではない。
　上記訂正事項ｂ及びｃは、訂正事項ａに整合させたものであって、明りょうでない記載の釈明を目的とした明細書の訂正に該当し、いずれも、新規事項の追加に該当せず、実質的に特許請求の範囲を拡張し、又は変更するものではない。
　
（３）むすび
　したがって、上記訂正は、特許法第１２０条の４第２項及び同条第３項において準用する第１２６条第２項及び第３項の規定に適合するので、当該訂正を認める。
　
３．特許異議の申立てについての判断
（１）本件発明
　上記２．で示したように上記訂正が認められるから、本件の請求項１及び２に係る発明は、上記訂正に係る訂正明細書の特許請求の範囲に記載された事項により特定されるとおりのものである。（上記２．（１）ａ．参照。以下、請求項１及び２に係る発明をそれぞれ「本件発明１」及び「本件発明２」という。）
　
（２）引用刊行物に記載された発明
　当審が平成１５年４月１７日付けで通知した取消理由において引用した本件出願前に頒布された刊行物１及び２には、それぞれ以下の事項が記載されている。
　ア．刊行物１：特開平５−１０６３３４号公報（甲第１号証）
　上記刊行物１には、以下の記載がある。
「厨房又は洗面所廻りにおける給水，給湯・・・の配管配線を一つのボックスに集中させ、管及び線の機器側接続端部はワンタッチ接続とし、・・・厨房・洗面所用配管配線接続ボックスを構成するものである。」（段落【０００５】）
「壁内或いは床内に埋設される・・・給水管Ｗ、給湯器２より延設される給湯管Ｂ・・・の端部が、・・・給水管接続ユニット１ｃ、給湯管接続ユニット１ｄ・・・に接続されている。」（段落【０００７】）
「設備機器における・・・給水管、給湯管・・・の管の端部には、ワンタッチにて配管配線接続ボックス１における・・・給水管接続ユニット１ｃ、給湯管接続ユニット１ｄ・・・の各接続部に接続できるように接続端子が構成されており、該接続端子を各接続部に押し込むだけで接続が完了する。また、該各接続部の傍には開閉栓安全コックを取り付け、接続時における開閉の安全装置が機能するとともに、各管の脱却も、引きながら４５°回す操作で簡単にできるように構成されている。」（段落【０００８】）
「設備機器の・・・水栓４より延設される給水管４ａの端部を給水管接続ユニット１ｃに、給湯管４ｂの端部を給湯管接続ユニット１ｄに接続し」（段落【０００９】）
「厨房機器が、配管配線接続ボックス１の接続部より管や線を容易に脱却する事ができる・・・給水管，給湯管・・・の接続部に蓋７を被覆し、」（段落【００１１】）
「配管配線接続ボックス１を壁内又は床内に設置し、」（段落【００１２】）
【図１】には、給水管接続ユニット１ｃ及び給湯管接続ユニット１ｄの接続部、給水管用開閉栓安全コックのレバー、給湯管用開閉栓安全コックのレバーが、それぞれ壁面から部屋側に突出しないように設けられ、【図２】には、給水管接続ユニット１ｃと給湯管接続ユニット１ｄのそれぞれの前面における一端に接続部を、他方側に開閉栓安全コックのレバーが設けられることが記載されている。
　上記記載及び【図１】〜【図３】を含む刊行物１全体の記載、および上記刊行物１記載の「給水管接続ユニット１ｃ」及び「給湯管接続ユニット１ｄ」は、その流入口に、それぞれ、給水管Ｗ、給湯管Ｂが接続されるものであるから、刊行物１には、次の発明が記載されているものと認められる。
「給水管Ｗおよび給湯管Ｂが取り付けられた壁に給水管接続ユニット１ｃおよび給湯管接続ユニット１ｄを設け、前記給水管接続ユニット１ｃの水流入口に前記給水管Ｗを接続するとともに、前記給湯管接続ユニット１ｄの湯流入口に前記給湯管Ｂを接続し、更に、前記給水管接続ユニット１ｃの接続部はワンタッチ接続とし、壁面から部屋側に突出しないようにする一方、この給水管接続ユニット１ｃの接続部に、設備機器の給水管４ａの接続端子を着脱自在に接続するとともに、また、前記給湯管接続ユニット１ｄの接続部もワンタッチ接続とし、前記壁面から部屋側に突出しないようにし、かつ、この給湯管接続ユニット１ｄの接続部に、設備機器の給湯管４ｂの接続端子を着脱自在に接続するとともに、前記給水管接続ユニット１ｃの前面における一方側に前記接続部を、他方側に開閉栓安全コックのレバーが設けられ、また、前記給湯管接続ユニット１ｄの前面における一方側に前記接続部を、他方側に開閉栓安全コックのレバーが設けられ、更に、前記給水管接続ユニット１ｃの開閉栓安全コックのレバーを前記壁面から部屋側に突出しないように設けるとともに、前記給湯管接続ユニット１ｄの開閉栓安全コックのレバーを前記壁面から部屋側に突出しないように設けている壁取出し用給水機構。」
　
　イ．刊行物２：特開平５−９８６７６号公報（甲第４号証）
　上記刊行物２には、以下の記載がある。
「水栓２０は先端の吐水口２２が凹凸状の外周面を有する形態とされ、ここにホースが繋げるようになっている。」（段落【００２４】）
　そして、【図１】〜【図３】には、吐水口２２と水栓２０のレバーが壁面から突出しないことが記載されており、該レバーで水栓の流量が調整可能であることが当業者に明らかである。
　
（３）対比、判断
（ａ）本件発明１について
　本件発明１と刊行物１記載の発明とを対比すると、刊行物１記載の発明の「給水管Ｗ」、「給湯管Ｂ」、「接続部」、「ワンタッチ接続」、「設備機器」、「給水管４ａ」、「接続端子」、「給湯管４ｂ」、及び、「開閉栓安全コック」は、それぞれ本件発明１の「給水配管」、「給湯配管」、「水流出口、湯流出口」、「簡易着脱機構」、「手洗い・風呂・飲料用等に使用される水栓付ユニット」、「給水ホース」、「継手」、「給湯ホース」、及び、「弁部」に相当し、刊行物１記載の発明の「給水管接続ユニット１ｃ」及び「給湯管接続ユニット１ｄ」と、本件発明１の「給水用流量調整機能付水栓」及び「給湯用流量調整機能付水栓」は、「給水用水栓」及び「給湯用水栓」で共通し、刊行物１記載の発明の「給水管接続ユニット１ｃの接続部はワンタッチ接続とし、壁面から部屋側に突出しないようにする」及び「給湯管接続ユニット１ｄの接続部もワンタッチ接続とし、前記壁面から部屋側に突出しないようにし」と、本件発明１の「水流出口に簡易着脱機構の水用継手を壁面から部屋側に突出しないように接続する」及び「湯流出口にも簡易着脱機構の湯用継手を前記壁面から部屋側に突出しないように接続し」は、「水流出口を簡易着脱機構とし、壁面から部屋側に突出しないようにする」及び「湯流出口を簡易着脱機構とし、前記壁面から部屋側に突出しないようにし」で共通し、刊行物１記載の発明の「レバー」と本件発明１の「流量調節用レバー」は、「レバー」で共通するから、本件発明１と刊行物１記載の発明は、
「給水配管および給湯配管が取り付けられた壁に給水用水栓および給湯用水栓を設け、前記給水用水栓の水流入口に前記給水配管を接続するとともに、前記給湯用水栓の湯流入口に前記給湯配管を接続し、更に、前記給水用水栓の水流出口を簡易着脱機構とし、壁面から部屋側に突出しないようにする一方、この水流出口に、手洗い・風呂・飲料用等に使用される水栓付ユニットの給水ホースの継手を着脱自在に接続するとともに、また、前記給湯用水栓の湯流出口を簡易着脱機構とし、前記壁面から部屋側に突出しないようにし、かつ、この湯流出口に、手洗い・風呂・飲料用等に使用される水栓付ユニットの給湯ホースの継手を着脱自在に接続するとともに、前記給水用水栓の前面における一方側に前記水流出口を、他方側に弁部のレバーが設けられ、また、前記給湯用水栓の前面における一方側に前記湯流出口を、他方側に弁部のレバーが設けられ、更に、前記給水用水栓のレバーを前記壁面から部屋側に突出しないように設けるとともに、前記給湯用水栓のレバーを前記壁面から部屋側に突出しないように設けている壁取出し用給水機構。」
の点で一致しており、以下の点で相違している。
　
　相違点１：給水用水栓および給湯用水栓に関して、本件発明１が、それぞれ流量調整機能付きであり、それぞれの水栓本体の前面における一方側に流出口を、他方側に弁部を設け、この弁部の弁棒の上方に流量調整用レバーが設けられるのに対し、刊行物１記載の発明は、流量調整機能について記載されておらず、水栓の前面における一方側に流出口を、他方側に弁部のレバーが設けられるものの、弁棒に関しての記載はなく、また、レバーが流量調整用であるか否か明らかでない点。
　相違点２：流出口の簡易着脱機構に関して、本件発明１が、流出口に簡易着脱機構の継手を接続する一方、この継手に、給水及び給湯ホースの継手を着脱自在に接続するとともに、前記給水及び給湯ホースの継手と前記簡易着脱機構の継手の離脱時には、前記簡易着脱機構の継手から水あるいは湯が噴出するのを防止するよう構成されているのに対し、刊行物１記載の発明の接続部には、離脱時に水あるいは湯が噴出するのを防止するように構成されている継手が接続されているか否か明らかでない点。
　
　上記相違点１に関し検討する。
　刊行物２には、吐水口２２（本件発明１の「水流出口」に相当）とレバーが壁面から突出しない水栓について、水栓が流量調整機能付きでレバーが流量調整用であることが記載されており、また、機器のホースの継手を着脱自在に接続する簡易着脱機構の継手を有する水栓について、水栓が流量調整機能付きで、弁部の弁棒の上方に流量調節用レバーが設けられることは周知技術（例えば、特開平９−２９２０８２号公報（甲第３号証））であるから、これらの技術を刊行物１記載の発明に適用し、本件発明１の上記相違点１に係る構成とすることは、当業者が容易に想到し得るものである。
　上記相違点２に関し検討する。
　流出口の簡易着脱機構について、流出口に簡易着脱機構の継手を接続する一方、この継手に、給水ホースの継手を着脱自在に接続するとともにホースの継手との離脱時に簡易着脱機構の継手から水が噴出するのを防止するよう構成することは、周知技術（例えば、特開平９−２９２０８２号公報、特開平７−２０７７２４号公報）であるから、該技術を刊行物１記載の発明に適用し、本件発明１の上記相違点２に係る構成とすることは、当業者が容易に想到し得るものである。
　そして、本件発明１の構成によってもたらされる効果も、刊行物１、２記載の発明及び周知技術から当業者が容易に予測しうる程度のものである。
　
（ｂ）本件発明２について
　本件発明２は、本件発明１から「給湯配管」、「給湯用流量調整機能付水栓」、「湯用継手」、「給湯ホースの継手」に関する構成を省いたものである。
　そうすると、本件発明２の構成要件を全て含み、さらに他の構成要件を付加したものに相当する本件発明１が、前記３．（３）（ａ）に記載したとおり、刊行物１、２記載の発明及び周知技術から当業者が容易に発明をすることができたものであるから、本件発明２も、同様の理由により、刊行物１、２記載の発明及び周知技術から、当業者が容易に発明をすることができたものである。
　
（４）むすび
　以上のとおりであるから、本件発明１及び２は、その出願日前に頒布された刊行物１、２に記載された発明及び周知技術に基いて当業者が容易に発明をすることができたものであるから、本件発明１及び２についての特許は、特許法第２９条第２項の規定に違反してなされたものである。
　したがって、本件発明１及び２についての特許は、特許法第１１３条第２号に該当し、取り消されるべきものである。
　よって、結論のとおり決定する。
【異議決定日】
平成１５年７月７日（２００３．７．７）
【訂正の要旨】
審決（決定）の【理由】欄参照。
（５４）【発明の名称】
壁取出し用給水機構
（５７）【特許請求の範囲】
　【請求項１】　給水配管および給湯配管が取り付けられた壁に給水用流量調整機能付水栓および給湯用流量調整機能付水栓を設け、前記給水用流量調整機能付水栓の水流入口に前記給水配管を接続するとともに、前記給湯用流量調整機能付水栓の湯流入口に前記給湯配管を接続し、更に、前記給水用流量調整機能付水栓の水流出口に簡易着脱機構の水用継手を壁面から部屋側に突出しないように接続する一方、この水用継手に、手洗い・風呂・飲料用等に使用される水栓付ユニットあるいは洗濯機の給水ホースの継手を着脱自在に接続するとともに、前記給水ホースの継手と前記簡易着脱機構の水用継手の離脱時には、前記簡易着脱機構の水用継手から水が噴出するのを防止するよう構成され、また、前記給湯用流量調整機能付水栓の湯流出口にも簡易着脱機構の湯用継手を前記壁面から部屋側に突出しないように接続し、かつ、この湯用継手に、手洗い・風呂・飲料用等に使用される水栓付ユニットの給湯ホースの継手を着脱自在に接続するとともに、
前記給水用流量調整機能付水栓本体の前面における一方側に前記水流出口を、他方側に弁部を設け、この弁部の弁棒の上方に流量調整用レバーが設けられ、また、前記給湯用流量調整機能付水栓本体の前面における一方側に前記湯流出口を、他方側に弁部を設け、この弁部の弁棒の上方に流量調整用レバーが設けられ、
　【請求項２】　給水配管が取り付けられた壁に流量調整機能付水栓を設け、前記流量調整機能付水栓の水流入口に前記給水配管を接続するとともに、
前記給水用流量調整機能付水栓本体の前面における一方側に前記水流出口を、他方側に弁部を設け、この弁部の弁棒の上方に流量調整用レバーが設けられ、また、
【発明の詳細な説明】
　【０００１】
　【発明の属する技術分野】
　この発明は、壁取出し用給水機構に関するものである。
　【０００２】
　【従来の技術および発明が解決しようとする課題】
　例えば、既存の手洗い器以外の場所に新たに手洗い器を設置するには、既存の手洗い器の場合と同様の手間のかかる施工が必要であった。
　【０００３】
　この発明は、手洗い・風呂・飲料用等に使用される水栓付ユニットあるいは洗濯機を簡単な施工で容易に後付け設置できる壁取出し用給水機構を提供することを目的とする。
　【０００４】
　【課題を解決するための手段】
　上記目的を達成するために、この発明は、給水配管および給湯配管が取り付けられた壁に給水用流量調整機能付水栓および給湯用流量調整機能付水栓を設け、前記給水用流量調整機能付水栓の水流入口に前記給水配管を接続するとともに、前記給湯用流量調整機能付水栓の湯流入口に前記給湯配管を接続し、更に、前記給水用流量調整機能付水栓の水流出口に簡易着脱機構の水用継手を壁面から部屋側に突出しないように接続する一方、この水用継手に、手洗い・風呂・飲料用等に使用される水栓付ユニットあるいは洗濯機の給水ホースの継手を着脱自在に接続するとともに、前記給水ホースの継手と前記簡易着脱機構の水用継手の離脱時には、前記簡易着脱機構の水用継手から水が噴出するのを防止するよう構成され、また、前記給湯用流量調整機能付水栓の湯流出口にも簡易着脱機構の湯用継手を前記壁面から部屋側に突出しないように接続し、かつ、この湯用継手に、手洗い・風呂・飲料用等に使用される水栓付ユニットの給湯ホースの継手を着脱自在に接続するとともに、
前記給水用流量調整機能付水栓本体の前面における一方側に前記水流出口を、他方側に弁部を設け、この弁部の弁棒の上方に流量調整用レバーが設けられ、また、前記給湯用流量調整機能付水栓本体の前面における一方側に前記湯流出口を、他方側に弁部を設け、この弁部の弁棒の上方に流量調整用レバーが設けられ、
　【０００５】
　また、この発明は別の観点から、給水配管が取り付けられた壁に流量調整機能付水栓を設け、前記流量調整機能付水栓の水流入口に前記給水配管を接続するとともに、
前記給水用流量調整機能付水栓本体の前面における一方側に前記水流出口を、他方側に弁部を設け、この弁部の弁棒の上方に流量調整用レバーが設けられ、また、
　【０００６】
　【発明の実施の形態】
　以下にこの発明の実施の形態について説明する。なお、この発明はそれによって限定されるものではない。
　【０００７】
　図１〜図３は、給排水用のコンセントを壁に設けたこの発明の第１の実施形態を示す。
　図１〜図３において、１は、例えばマンション、オフィスなどの部屋あるいは廊下などの床Ｆ上に移動自在に設置される水栓付ユニットで、この実施形態では手洗いに使用されるキャビネットタイプの手洗い器を示している。この手洗い器１は、所定の高さを有し、洗面台２以外に洗面台２上部の鏡台３に取り付けられた大型の鏡４や洗面台２下部の開閉扉５付収納ボックス６を備えている。
　【０００８】
　７は洗面台２に設けた湯水混合栓で、給水配管（図示せず）から分岐された分岐給水配管８、給湯配管（図示せず）から分岐された分岐給湯配管９から流入される水、湯を適宜混合して流量調整および湯温調整機能を持つシングルレバー１０の操作によって湯水を適当な割合で混合し、例えば、湯水混合栓７の吐出パイプ１１に接続されたシャワホース１２を介して湯水混合栓７内の湯水混合室から所望の温水をシャワヘッド１３から吐出させるよう構成されている。
　【０００９】
　更に、前記手洗い器１は、湯水混合栓７の給水口に接続される給水ホース１４と、湯水混合栓７の給湯口に接続される給湯ホース１５と、洗面台２の排水トラップ１６に接続される排水ホース１７を有する。前記給水ホース１４は先端に継手１４ａを有し、前記給湯ホース１５も先端に継手１５ａを有する。また、排水ホース１７も先端に継手１７ａを有する。
　【００１０】
　１８は前記部屋の壁で、この壁１８には、給水用流量調整機能付水栓１９と、給湯用流量調整機能付水栓２０と、排水口２２を有する排水継手２３およびこの排水継手２３を下水管に接続するフレキシブルパイプ２１で構成される排水配管２４とを設置するための開口２５が形成されている。
　【００１１】
　以下給水用流量調整機能付水栓１９について具体的に説明する。
　前記給水用流量調整機能付水栓１９は、横長のセラミック水栓（単水栓）本体２６と、この水栓本体２６に螺着されたカートリッジ２７とで構成されている。２８は、水栓本体２６に形成された水流入口で、前記分岐給水配管８に接続されている。また、２９は、水栓本体２６に形成された水流出口で、水栓本体２６の前面における一方側に形成されたネジ穴ａで構成されている。この水流出口２９に給水ホース１４の前記継手１４ａに接続される継手３０が螺着されている。
　【００１２】
　前記流量調整機能付水栓１９は横置きの状態で、前記開口２５に設けた枠体（パネル）３１および分岐給水配管８間に介装されている。また、前記カートリッジ２７は、水栓本体２６の前面における他方側に形成されたネジ穴ｂに螺着されている。
　【００１３】
　３３は、水栓１９の弁部で、セラミック製の固定弁体（固定ディスク）３４と、セラミック製の可動弁体（可動ディスク）３５とで構成される。固定ディスク３４には、ディスク押え３８内に形成された連通孔を介して水流入口２８に連通する弁孔が穿設形成されている。３６は栓棒で、カートリッジ２７内に垂直状態で挿入されており、上部に流量調整用レバー３７が固着されている。そして、このレバー３７の回動操作により可動ディスク３５が固定ディスク３４上を摺動し、吐水状態では、可動ディスク３５に設けた切欠が固定ディスク３４の前記弁孔に連通することで吐水する（例えば、特願平９−１３０３３５号参照）。
　【００１４】
　湯量を調節する前記流量調整機能付水栓２０も上述した水量を調節する流量調整機能付水栓１９と同一構成であるので説明を省略する。なお、前記流量調整機能付水栓２０において、３９は流量調整用レバーである。また、４０は、給湯ホース１５の前記継手１５ａに接続される継手で、流量調整機能付水栓給水用１９の水栓本体に形成された湯流出口に螺着されている。
　【００１５】
　要するに、この実施形態では、壁１８に給排水用のコンセントを設け、手洗い器１に、湯水混合栓７、給水ホース１４、給湯ホース１５、洗面台２、排水ホース１７および接続機構を設け、手洗い器１を簡単な施工で容易に後付け設置できるようにしている。なお、４１は、排水口２２を閉塞する蓋である。
　【００１６】
　また、４２，４２は、開口２５を覆うよう枠体３１に設けた観音開き用の扉である。不使用時に、開口２５を扉４２，４２で覆うことにより見栄えがよい。また、壁面１８ａと面一で出っ張りがないので、空間を広く使える。なお、この開口２５を覆う扉としては、片面開き用の扉でもよく、スライド式の扉でもよい。また、部屋で発生したホコリ等が侵入するのを防止できる。
　【００１７】
　次に、手洗い器１の給水ホース１４の接続機構について説明する。
　水流出口２９には、給水ホース１４の継手１４ａに接続される継手３０が螺着されている。この継手３０は、開口ｃの周囲にフランジ３０ａを有し、このフランジ３０ａの奥に周溝４３が設けられており、更に、内部に小径部分６４の径より幾らか大きな直径を持つ球形状の弁体４４を有し、この弁体４４および弁体４４より上流側に位置する中央筒部６５間にバネ体６６が介挿されている。なお、ｄは、枠体３１の裏面３１ａの一方側に設けた継手３０用の穴で、継手３０は、その先端部が壁面１８ａから突出しない状態で穴ｄに挿入されている。また、ｅは、枠体３１の裏面３１ａの他方側に設けたレバー３７用の穴で、レバー３７も壁面１８ａから突出しない状態で穴ｅに位置している。このように、継手３０やレバー３７が壁面１８ａから手前（部屋側）に突出しないように構成されており、前出しがないので、手洗い器１設置のためのスペースを有効に利用できる。
　【００１８】
　一方、給水ホース１４の継手１４ａは同心円状に配置される２重の筒体５２，５５、小球５３…及び前記内側の筒体５５の中心軸上に配置される押し棒５４から成っており、外側の筒体５２は、内側の筒体５５に対して図中のＦの方向に摺動できるように構成されている。前記内側の筒体５５には、内周の方が外周よりも小さい開口を持つ４つの貫通穴ｔが穿設されており、この４つの穴ｔに内周の開口よりも少し大きい直径を持つ前記小球５３…が嵌装されている。また、この小球５３…は、それぞれ前記外側の筒体５２によって内側に押圧されるようになっている。
　【００１９】
　前記給水ホース１４を水栓本体２６に装着するときは、継手１４ａの外側の筒体５２を矢印Ｆの方向に摺動させ、前記小球５３…に対する押圧力を解除した状態でこれを水栓本体２６の水流出口２９に螺着された継手３０に嵌入する。このとき、前記小球５３…は前記周溝４３上に位置し、前記外側の筒体５２を矢印Ｆと逆の方向に（つまり元の位置へ）摺動させると前記小球５３…は再び内側に押圧されて周溝４３内においてフランジ３０ａを強固に掴持するようになると共に、前記押し棒５４は継手３０内に組み込まれた弁体４４を押す。このため水栓本体２６の水流出口２９から給水ホース１４へ水を供給できるようになる。
　【００２０】
　逆に、前記給水ホース１４と水栓本体２６の接合を解除するときには、継手１４ａの外側の筒体５２を矢印Ｆの方向に摺動させると、前記小球５３…による掴持力が解除されて、給水ホース１４の継手１４ａは容易に水栓本体２６の水流出口２９に螺着された継手３０から挿脱できると共に、前記押し棒５４による弁体４４の押圧も解除される。そして、バネ体６６によって弁体４４は小径部分６４に当接して給水流路を絶ち、継手３０から水が噴出することはない。
　【００２１】
　つまり、上記構成によって継手３０，１４ａ同士を着脱するときに極めて容易であると共に、手洗い器１への給水が終了した後に、継手３０，１４ａの離脱時にたとえレバー３７を閉にするのを忘れて、これが全開の状態であったとしても、弁体４４が水圧およびバネ体６６の弾性力によって継手３０の開口ｃを閉じるために、継手３０から水が噴出するなどの事故を防ぐことができる。
　【００２２】
　給湯ホース１５の接続機構も同一の構成によって継手４０，１５ａ同士を着脱するときに極めて容易である。
　【００２３】
　図４、図５は、上記第１の実施形態の給排水用のコンセントを座敷の床Ｈに設け、風呂に使用される水栓付ユニット７０の給排水が行えるようにしたこの発明の第２の実施形態を示す。なお、図４、図５において、図１〜図３に示した符号と同一符号のものは、同一または相当物とする。
　【００２４】
　この水栓付ユニット７０にも、上記第１の実施形態と同一構成の湯水混合栓７と、この湯水混合栓７の給水口に接続される給水ホース１４と、湯水混合栓７の給湯口に接続される給湯ホース１５と、ユニット７０の排水口に接続される排水ホース１７と、シャワヘッド１３と、給水ホース１４先端の継手１４ａと、給湯ホース１５先端の継手１５ａとが設けられている。
　【００２５】
　この場合も、風呂に使用される水栓付ユニット７０を簡単な施工で容易に後付け設置できる。
　【００２６】
　図６、図７は、給湯用流量調整機能付水栓を不要とする飲料用に使用される水栓付ユニット８０の給排水が行えるようにしたこの発明の第３の実施形態を示す。なお、図６、図７において、図１〜図５に示した符号と同一符号のものは、同一または相当物とする。
　【００２７】
　この場合、水栓付ユニット８０として、例えば、ペダルを踏めば吐水し、ペダルから足を放せば自動的に止水する自閉式の飲料用水栓ユニットを挙げることができる。そして、この実施形態では、上記第１，２の実施形態で示した給排水用のコンセントから給湯用流量調整機能付水栓を取り除き、分岐給水配管８が取り付けられた、例えばオフィスなどの部屋あるいは廊下などの床Ｆおよび壁１８に流量調整機能付水栓１９と、流量調整機能付水栓１９の水流出口に設けた簡易着脱機構の継手３０と、排水口２２とで構成される給排水用のコンセントを設け、水栓付ユニット８０に給水ホース１４と、その継手１４ａと、前記水栓付ユニット８０の排水ホース１７と、その継手１７ａとを設けている。この給排水用のコンセントも上記第１，２の実施形態と同様に開口２５に設けた枠体（パネル）３１からなる。９０はカラン、９１は電源コードである。
　【００２８】
　また、この実施形態において、枠体（パネル）３１には、電源コード９１のプラグ９２等の接続に使用される電気コンセント９３も設けてある。
　【００２９】
　なお、水栓付ユニット８０の代わりに洗濯機も使用できる。
　【００３０】
　また、洗濯機や前記水栓付ユニット８０、更には湯水混合栓７の代わりに単水栓を用いた手洗い器などを上記第１，２の実施形態で示した給排水用のコンセントに接続できることは勿論である。
　【００３１】
　【発明の効果】
　以上説明したようにこの発明は、壁に給排水用のコンセントを設ける一方、手洗い・風呂・飲料用等に使用される水栓付ユニットに、給水ホース、給湯ホース、排水ホースおよび接続機構を設けたので、水栓付ユニットを簡単な施工で容易に後付け設置できる。
【図面の簡単な説明】
　【図１】
　この発明の第１の実施形態を示す斜視図である。
　【図２】
　上記実施形態における要部分解斜視図である。
　【図３】
　上記実施形態における要部構成説明図である。
　【図４】
　この発明の第２の実施形態を示す斜視図である。
　【図５】
　上記第２の実施形態における要部分解斜視図である。
　【図６】
　この発明の第３の実施形態を示す斜視図である。
　【図７】
　上記第３の実施形態における要部分解斜視図である。
　【符号の説明】
　１…手洗い器、７…湯水混合栓、８…分岐給水配管、９…分岐給湯配管、１４…給水ホース、１４ａ…給水ホースの継手、１５…給湯ホース、１５ａ…給湯ホースの継手、１７…排水ホース、１８…壁、１８ａ…壁面、１９…給水用流量調整機能付水栓、２０…給湯用流量調整機能付水栓、２１…フレキシブルパイプ、２２…排水口、２３…排水継手、２４…排水配管、２５…開口、２８…水流入口、２９…水流出口、３０…簡易着脱機構の水用継手、３７，３９…流量調整用レバー、４０…簡易着脱機構の湯用継手。